(57)【要約】【課題】雌型面ファスナー部分を含めてほぼ全長に亘り伸縮することができる帯状の緊縛具を提供する。【解決手段】帯状の伸縮性基布２の一端部上面に、伸縮性の雌型面ファスナー３を基布２と共に伸縮可能に取り付け、伸縮性基布２の他端部下面に、少なくとも２個の雄型面ファスナー４、４を基布の長さ方向に間隔をおいて取り付けてこの雄型面ファスナー４、４間に伸縮可能域５を形成し、緊縛具１の基布２が２個の雄型面ファスナー４、４間においても伸縮できるようになした。【選択図】図１
2008086654.tif 000002
【特許請求の範囲】
【請求項１】
帯状の伸縮性基布の一端部の上面に、少なくとも伸縮性基布の長さ方向に伸縮性を備えた雌型面ファスナーが基布と共に伸縮可能に取り付けられ、伸縮性基布の他端部の下面に、少なくとも２個の雄型面ファスナーが基布の長さ方向に間隔をおいて取り付けられ、雄型面ファスナー間に伸縮可能域が形成されていることを特徴とする緊縛具。
【請求項２】
上記雌型面ファスナーが、表面にパイルループを備えた伸縮性の織・編地である請求項１記載の緊縛具。
【請求項３】
帯状の伸縮性基布一端部上面に少なくとも２個の雌型面ファスナーが基布の長さ方向に間隔をおいて取り付けられ、伸縮性基布の他端部下面に、少なくとも２個の雄型面ファスナーが基布の長さ方向に上記雌型面ファスナーと同じ間隔をおいて取り付けられ、雌型および雄型の面ファスナー間にそれぞれ伸縮可能域が形成されていることを特徴とする緊縛具。
【請求項４】
上記雌型および雄型の面ファスナーが方形や円形の小片をなし、この小片の雌型および雄型の面ファスナーが帯状の伸縮性基布の一端部上面および下面に基布の長さ方向および幅方向に間隔をおいて取り付けられ、雌型および雄型の面ファスナー間にそれぞれ伸縮可能域が形成されていることを特徴とする緊縛具。
【請求項５】
上記雌型および雄型の面ファスナー部分が、伸縮性を有するシート素材に、２個以上の雌型および雄型の面ファスナーがそれぞれ伸縮性シート素材の伸縮方向に沿って任意の間隔をおいて固着されてなる雌型および雄型の面ファスナーユニットによって形成されている請求項３または請求項４記載の緊縛具。
【発明の詳細な説明】
【技術分野】
【０００１】
本発明は帯状の伸縮性基布の一端部側の上面に雌型の面ファスナーを備え、基布の他端部側の下面に雄型の面ファスナーを備えてなる緊縛具、詳しくは雌型の面ファスナーと雄型の面ファスナーとの係合部分に伸長性（ストレッチ性）を有し、人体各部位のサポーターや棒状物の束ね縛り用、梱包用あるいは荷崩れ防止用などに好都合な緊縛具に関するものである。
【背景技術】
【０００２】
帯状の伸縮性基布の一端部側の上面に雌型の面ファスナーを備え、基布の他端部側の下面にテープ状の雄型の面ファスナー片を備えてなる緊縛具は、従来から種々なサポーターやベルトとして広く利用されている。
【特許文献１】特開２００６−１０２４２０号公報
【特許文献２】特開２００６−１４９８４９号公報
【発明の開示】
【発明が解決しようとする課題】
【０００３】
解決しようとする問題点は、例えば通常の人体用のサポーターにおいては、帯状の伸縮性基布の両端部に固着された雌雄の面ファスナーは人体へサポーターの巻装状態を単に保持するためのものであり、雌雄の面ファスナーの係合部分には一般に柔軟性・伸縮性がないことから、係合部分に位置している人体部分の動きに馴染まず、自由度が制限されて、ときには痛みさえ感じるという問題点があるばかりでなく、係合部分が人体の曲面に位置した場合には、雄型の面ファスナーの端部が雌型の面ファスナーから浮き上がり、両者の係合力が低下する。
【０００４】
また、人体用のサポーターにおいて、雌型面ファスナー部のみストレッチ性の基材の表面に基材と一体となって構成されている仕様のものがあるが、雄型面ファスナーに伸縮性がないことから上記と同様の不都合が生じる。
【０００５】
また帯状の伸縮性基布の両端部に表裏に単に雌雄の面ファスナーを取り付けた形態のものが棒状物を束ねるためにも利用されているが、この利用においても束ねバンド２０の両端に取り付けられている雌型面ファスナー２２及び雄型面ファスナー２３が柔軟性に乏しいため、図８に示しているように束ね、バンド２０でもって多数の棒状物２１を巻装した場合、雌型の面ファスナー２２の曲面から屈曲性に乏しい雄型の面ファスナー２３の端部２３Ａが浮き上がり、両者の係合力が低下するという問題点があった。そしてこの問題点は、動きのある緊縛対象物の場合において一層顕著となる。
【課題を解決するための手段】
【０００６】
本発明は、帯状の伸縮性基布の一端部の上面に取り付けられる雌型の面ファスナーとして伸縮性のものを使用するとともに、伸縮性基布の他端部の下面に取り付けられる雄型の面ファスナーの部分に伸縮可能域を形成することによって上記課題を解決した。即ち本発明の緊縛具１は、図１に示したように、帯状の伸縮性基布２の一端部の上面に、少なくとも基布２の長さ方向に伸縮性に富んだ雌型面ファスナー３を基布２と共に伸縮可能に取り付け、伸縮性基布２の他端部の下面に、少なくとも２個の雄型ファスナー４、４を伸縮性基布１の長さ方向に間隔をおいた状態で取り付け、雄型面ファスナー４、４間に伸縮可能域５を形成したことを特徴とする。
【０００７】
また本発明は、テープ状非伸縮性の雌型および雄型の面ファスナーを任意の長さや大きさに分割し、伸縮性基布の一端部上面に雌型をそして伸縮性基布の他端部下面に雄型をそれぞれ同じ間隔をおいて少なくとも２個を固定して雌型面ファスナーと雄型面ファスナーのそれぞれの間に伸縮可能域を形成することによって上記課題を解決した。即ち、本発明の緊縛具は、帯状の伸縮性基布一端部上面に少なくとも２個の雌型面ファスナーを基布の長さ方向に間隔をおいて取り付け、伸縮性基布の他端部下面に、少なくとも２個の雄型面ファスナーが基布の長さ方向に上記雌型面ファスナーと同じ間隔をおいて取り付けて、雌型および雄型の面ファスナー間にそれぞれ伸縮可能域を形成したことを特徴とする。
【０００８】
また、上記雌雄型の面ファスナーを裁断して方形や円形の小片なし、この小片を伸縮性基布の長さ方向及び幅方向に、それぞれ間隔をおいて複数段に固定して雄型と雌型の係合部となし、両者を係合させるようになすこと、即ち、上記雌型および雄型の面ファスナーを方形や円形の小片となし、この小片の雌型および雄型の面ファスナーを帯状の伸縮性基布の一端部上面および下面に基布の長さ方向および幅方向に間隔をおいて取り付け、雌型および雄型の小片の面ファスナー間にそれぞれ伸縮可能域を形成することによっても上記課題を解決することができる。
【０００９】
上記伸縮性の雌型面ファスナー３としては、表面に多数のパイルループが形成された伸縮性の経編地が利用でき、この雌型面ファスナーについては特に限定を要するものではないが、図２に略示しているように、数本の弾性糸でもって間隔をおいてウェール６、６が編成されてウェール６、６間にモノフィラメント糸７が間隔をおいて挿入されたネット状の編地の一方の面のウェール６、６間に、モノフィラメント糸の編み込み交絡によって多数のパイルループ８、８が形成された所定幅の伸縮性の雌型面ファスナー３が軽量で重厚感なく柔軟性と通気性に富んでいることから好ましく適用できる。
【００１０】
また上記雄型の面ファスナー４としては、市販のテープ状のものを所要長さに切断してそのまま伸縮性基布２の他方の端部に間隔をおいて固着してもよいが、図３に示しているように、矢印方向に伸縮性を有した織物、編物、あるいはフィルムなどの薄いシート素材９の上に所定長さに切断した雄型の面ファスナー４を２個、間隔をおいて固着して伸縮可能域５が形成した雄型面ファスナーユニット４Ａを用いるとよい。またこのように予め伸縮可能域５が形成された雄型面ファスナーユニット４Ａは、図４に示しているように、矢印方向に伸縮性を有した織物、編物、あるいはフィルムなどの薄いストレッチ性シート素材９の上に所定の間隔をおいて長尺の雄型面ファスナー４、４を固定したのちその幅方向に切断することによって、あるいは図５に示しているように、矢印方向に伸縮性を有したテープ１０の両側にテープ状の雄型面ファスナー４、４を位置させて雄型面ファスナー４、４の内側端線を伸縮性テープ１０の端縁に重ね合わせ、この重ね合わせ部分をウエルダー融着あるいは接着剤でもって接合１１したのち、図４同様に所要分を幅方向に切断することによって能率よく得ることができる。そして切断して得られた伸縮可能域５を有するこの雄型面ファスナーユニット４Ａを伸縮糸でもって伸縮性基布に縫着固定するか、または雄型面ファスナー４、４の部分の下面を伸縮性基布に接着固定することによって、本発明緊縛具１の雄型面ファスナー部分を形成することができる。
【００１１】
本発明緊縛具１の本体を形成している伸縮性基布２には、通常サポーターとして広く用いられている所定幅の伸縮性編地や伸縮性織地を適用するとよい。勿論、サポーターのように人体に着用する用途においては、ゴム状の糸を綿、ナイロン、ポリエステルやレーヨン等の繊維でもってカバリングしたコアーヤーンでもって編成あるいは織成された伸縮性基布が好ましく、また荷崩れの防止具や棒状物の束ね用など高強度を必要とする用途には、ポリウレタン弾性糸と高強度の合成繊維糸で織編成された高強度の伸縮性基布２を選定するとよい。
【発明の効果】
【００１２】
本発明の緊縛具１は、帯状の伸縮性基布２の一端部の上面に、少なくとも基布２の長手方向に伸縮性に富んだ雌型面ファスナー３を基布２と共に伸縮可能に取り付けられ、さらに伸縮性基布２の他端部の下面には少なくとも２列の雄型面ファスナー４、４が伸縮性基布２の長さ方向に間隔をおいた状態で取り付けられて雄型面ファスナー４、４間に伸縮可能域５が形成されているから、従来は図６における非伸縮性の雌型面ファスナー１２と非伸縮性の雄型面ファスナー１３間の基布本体部分Ａが伸縮するに留まっていたが、本発明においてはこの図６の状態から図７に示しているように、ほぼ全長に亘って伸縮することができる。即ち、伸縮性基布２の雄型面ファスナーの部分４、４の固着部分を除いた全域が伸長可能となる。したがって本発明の緊縛具１をサポーターとして使用して人体に緊張状態で巻装したのち雌型面ファスナー３に雄型面ファスナー４、４を係合した場合、雌型面ファスナー３の部分および２個の雄型面ファスナー４、４間においても伸縮可能となり、係合部分に位置している人体部位にも自由度が付与され、従来のサポーターに比べて係合部分における痛みを改善することができる。
【００１３】
また、例えば本発明の緊縛具１を棒状物の束ね用として使用した場合は、図９に示しているように、最先端の雄型面ファスナー４が伸縮可能域５から係合部の曲面に沿って折れ曲がるとともに、伸縮性基布の係合部分に不測の張力が発生しても伸縮可能域５が伸張して張力変動に対応できるばかりでなく、雄型面ファスナーの剛性に起因する雄型面ファスナーの外端部の雌型の面ファスナーからの浮き上がり現象（図８参照）を解消することができ、緊縛力の低下を防止することができる。
【発明を実施するための最良の形態】
【００１４】
伸縮性基布２として、少なくとも経糸に弾性糸を用いて織成された多重織のベルト状織物を所望の長さに切断して使用し、雌型面ファスナー３としては表面にパイルループが形成された伸縮性の経編地を適用する。そして雄型面ファスナー４として基布の幅とほぼ同じ長さの縦長のものを２個用い、雌型面ファスナー３を伸縮性基布２の一端部の上面に基布２と共に伸縮可能に取り付け、伸縮性基布２の他端部下面にこの２個の雄型面ファスナー４、４を間隔をおいて取り付けて雄型ファスナー４，４間に伸縮可能域５を設ける。またこの雄型ファスナー４，４として図３に示したようなストレッチ性シート素材９に２個の雄型面ファスナー４、４が間隔をおいて固定されて中間に伸縮可能域５を備えた雄型面ファスナーユニット４Ａを使用してもよい。
【実施例１】
【００１５】
図１に示しているように、少なくとも経糸に弾性糸を用いて織成された幅１５ｃｍ、長さ５０ｃｍの２重織の伸縮性基布２の一端部上面に、図２に略示しているように、数本の弾性糸でもって間隔をおいてウェール６が編成されてウェール６、６間にモノフィラメント糸７が間隔をおいて挿入されたネット状の編地の一方の面のウェール６、６間にモノフィラメント糸の編み込み交絡によって多数のパイルループ８、８が形成された所定幅の伸縮性の雌型面ファスナー３を伸縮糸でもって伸縮性基布２と共に伸縮可能に縫着固定し、伸縮性基布２の他端部下面に、図３に示しているように、伸縮性基布２の伸縮方向と同じ方向に伸縮性を有したシート状物９に雄型面ファスナー４、４が間隔をおいて固定されて中間に伸縮可能域５を備えた雄型面ファスナーユニット４Ａを伸縮糸でもって縫着固定して大腿部用のサポーターとなした。
【００１６】
このサポーターを着用したところ、従来のサポーターに比べて、雌型面ファスナーと雄型面ファスナーとの係合部分に剛性感がなく、大腿部との密着状態が良好であった。
【実施例２】
【００１７】
図示を省略しているが、少なくとも経糸に弾性糸を用いて織成された幅１０ｃｍ、長さ８０ｃｍの３重織の帯状の伸縮性基布２の一端部上面に、実施例１と同様に、伸縮性の雌型面ファスナー３を伸縮糸でもって伸縮性基布２と共に伸縮可能に縫着固定すると共に、他端部の下面に、中間に伸縮可能域を備えた雄型面ファスナーユニット４Ａを伸縮糸でもって縫着固定して束ねバンドとなした。
【００１８】
この束ねバンドでもって建築足場用のパイプを束ねて縛ったところ、図９に示したように雌型面ファスナー３が不規則な曲面に位置しているにもかかわらず、先端部の雄型面ファスナー４が屈曲して雌型面ファスナー上に的確に係着し、運送中にも図８に示したような雄型面ファスナー２３の先端部２３Ａの浮き上がりが発生しなかった。
【実施例３】
【００１９】
実施例１で用いた伸縮性基布２の一端部上面に、図１０に示しているように、市販の非伸縮性のテープ状雌型面ファスナー３０をストレッチ性シート素材９に伸縮可能域５を形成するための間隔をおいて３個列設してなる雌型面ファスナーユニット３Ａを伸縮糸でもって縫着固定すると共に、基布２の他端部の下面に、中間に雌型面ファスナーユニット３Ａと同じ間隔の伸縮可能域５を備えた雄型面ファスナーユニット４Ａ伸縮糸でもって縫着固定して人体の大腿部用のサポーターとなした。そしてこのサポーターの雌型面ファスナーユニットＡに雄型面ファスナー４Ａを係合させたところ、図１１に示しているように両者の係合部分に伸縮可能域５が形成され、係合部に矢印方向の伸縮性を付与することができた。
【実施例４】
【００２０】
実施例３で用いた伸縮性基布２の一端部上面に、雌型および雄型の面ファスナーを方形の小片をなし、この小片の雌型面ファスナー３１および雄型の面ファスナー３２    をストレッチ性シート素材９に縦方向および横方向に間隔をおいて固着して雌型面ファスナーユニット３雄型面ファスナーユニット４となし、図１２に示したように、雌型面ファスナーユニット３Ａを帯状の伸縮性基布２の一端部上面に、そしておよび雄型面ファスナーユニット４Ａを基布２の下面にそれぞれ伸縮糸でもって縫着固定して人体の大腿部用のサポーターとなした。このサポーターを着用したところ、係合している雌型と雄型の面ファスナーの小片３１、３１間が伸縮可能でありまた係合部が柔軟性に富んでいるため人体への馴染みがよく、窮屈感のないサポーターが得られた。
【産業上の利用可能性】
【００２１】
このように本発明の緊縛具１は、帯状の伸縮性基布２の一端部の上面に、少なくとも基布の長さ方向に伸縮性に富んだ雌型面ファスナー３を基布２と共に伸縮可能に取り付け、伸縮性基布２の他端部の下面に、少なくとも２個の雄型面ファスナー４、４を伸縮性基布２の長さ方向に間隔をおいた状態で取り付け、雄型面ファスナー４、４間に伸縮可能域５を形成してなるものであり、基布２と共に雌型面ファスナー３の部分も弾力的に伸長し、さらに雄型面ファスナー４、４間においても弾力的に伸長可能となる。したがって同じ長さの従来の緊縛具よりも伸長範囲がおおきくなり、さらに雌雄の面ファスナー３、４の係合部分もスムースに屈曲するから、人体のサポーター用、棒状物の束ね縛り用、梱包用あるいは荷崩れ防止用など弾力的に巻装する用途に広く適用することができる。
【図面の簡単な説明】
【００２２】
【図１】本発明の緊縛具の実施例を示した斜視図である。
【図２】図１の雌型面ファスナーの説明図である。
【図３】雄型面ファスナーユニットの平面図である。
【図４】雄型面ファスナーユニットの作成要領を示した平面図である。
【図５】雄型面ファスナーユニットの他の作成要領を示した平面図である。
【図６】従来の緊縛具の伸長範囲の説明図である。
【図７】本発明緊縛具の伸長範囲の説明図である。
【図８】従来の緊縛具による棒状物の束ね状態の説明図である。
【図９】本発明緊縛具による棒状物の束ね状態の説明図である。
【図１０】本発明の緊縛具の他の実施例を示した斜視図である。
【図１１】図１０の緊縛具の係合状態を示した側面図である。
【図１２】本発明の緊縛具のさらに他の実施例を示した斜視図である。
【符号の説明】
【００２３】
１    緊縛具
２    伸縮性基布
３    雌型面ファスナー
３Ａ  雌型面ファスナーユニット
４    雄型面ファスナー
４Ａ  雄型面ファスナーユニット
５    伸縮可能域
９    伸縮性のシート素材
【図１】
2008086654.tif 000003
【図２】
2008086654.tif 000004
【図３】
2008086654.tif 000005
【図４】
2008086654.tif 000006
【図５】
2008086654.tif 000007
【図６】
2008086654.tif 000008
【図７】
2008086654.tif 000009
【図８】
2008086654.tif 000010
【図９】
2008086654.tif 000011
【図１０】
2008086654.tif 000012
【図１１】
2008086654.tif 000013
【図１２】
2008086654.tif 000014